(57)【要約】本発明は、Ｑ個のシンボル（Ａ０；．．．；ＡＱ−１）からなるグループをＤＦＴｓＯＦＤＭ無線信号において送信する方法に関する。この無線信号は、シンボルブロックＸ＝（Ｘ０，．．．ＸＭ−１）にＭサイズＤＦＴ及びＮサイズＩＤＦＴを適用することによって提供される。この方法は、シンボルブロック内のＱ個の位置ｎｉを以下のように求めることと、    【数１】2021525049.tif 000195各ｉについて、無線信号内のシンボルのサンプルａｉが、シンボル    【数２】2021525049.tif 000196の値が    【数３】2021525049.tif 000197であるＭ個のシンボルからなるブロックへのＤＦＴｓＯＦＤＭ方式の適用結果に等しくなるようなＱ個のシンボルを無線信号によって送信することとを含む。ｋは０≦ｋ＜Ｋである整数であり、ｍは０≦ｍ＜Ｋである整数である。
2021525049.tif 000002
【特許請求の範囲】
【請求項１】
無線通信システム上で無線信号を用いて、少なくともＱ個のシンボル（Ａ０；．．．；ＡＱ−１）からなるグループを送信する方法であって、前記無線信号は、少なくともＭ個の異なる周波数上で送信を行うように構成された少なくとも１つの送信アンテナを備える放射器によって放射されるように意図され、ＭはＬ・Ｋに等しく、Ｌ及びＫは正の整数であり、ＱはＬよりも小さい正の整数であり、前記無線信号は、
ＭサイズのＤＦＴをシンボルブロックＸ＝（Ｘ０，．．．ＸＭ−１）に適用し、ｋ＝０〜Ｍ−１である各第ｋの周波数について、周波数領域における複素シンボルＳｋを取得することと、
送信アンテナに対応するＩＤＦＴモジュールの出力において、前記周波数領域において、ｋ＝０〜Ｍ−１である各第ｋの周波数の複素シンボルＳｋ又はＳｋの関数を表す信号を取得することと、
前記複素シンボルＳｋ又はＳｋの関数を表す信号に対応する前記無線信号を放射することと、
によって提供され、
前記方法は、
前記シンボルブロック内のＱ個の位置ｎｉを以下のように求めることと、
【数１】
2021525049.tif 000174
前記無線信号によって前記Ｑ個のシンボルを送信することであって、各ｉについて、前記無線信号内の前記シンボルのサンプルａｉは、Ｍ個のシンボルからなるブロックに前記ＤＦＴを適用し前記ＩＤＦＴモジュールによって出力される結果と等しく、位置ｎｉ＋ｍＬにあるシンボル
【数２】
2021525049.tif 000175
の値はそれぞれ
【数３】
2021525049.tif 000176
であり、ｋは０≦ｋ＜Ｋの整数であり、ｍは０≦ｍ＜Ｋの整数であり、ｊは虚数であるようになっていることと、
を含む、方法。
【請求項２】
前記Ｑ個のシンボルを送信することは、各ｉ及び各ｍについて、前記シンボル
【数４】
2021525049.tif 000177
を値
【数５】
2021525049.tif 000178
に設定することによって行われる、請求項１に記載の方法。
【請求項３】
前記方法は、前記ＤＦＴを適用する前に、
【数６】
2021525049.tif 000179
である前記シンボル
【数７】
2021525049.tif 000180
の値を０に設定することと、前記ＩＤＦＴモジュールの出力において後続の信号を取得することとを更に含み、
各ｉ及び各ｍについて、前記Ｑ個のシンボルを送信することは、前記ＩＤＦＴモジュールの出力における前記後続の信号に前記サンプルを加えることによって行われる、請求項１に記載の方法。
【請求項４】
前記方法は、前記ＤＦＴを適用する前に、
【数８】
2021525049.tif 000181
である前記シンボル
【数９】
2021525049.tif 000182
の値を０に設定することと、ＤＦＴモジュールの出力において後続の信号を取得することとを更に含み、
各ｉ及び各ｍについて、前記Ｑ個のシンボルを送信することは、前記ＤＦＴモジュールの出力における前記後続の信号に前記サンプルを加えることによって行われる、請求項１に記載の方法。
【請求項５】
Ｑｐ個のシンボル
【数１０】
2021525049.tif 000183
からなる少なくともＫ’個のグループが前記無線信号において送信され、前記Ｑｐは正の整数であり、ΣＱｐ≦Ｌであり、Ｋ’≦Ｋであり、
前記方法は、各ｐについて、
整数ｋｐと、前記シンボルブロック内のＱｐ個の位置ｎｉｐとを以下のように求めることと、
【数１１】
2021525049.tif 000184
及び
【数１２】
2021525049.tif 000185
前記無線信号によって前記Ｑｐ個のシンボルを送信することであって、各ｉについて、前記無線信号内の前記シンボルのサンプルＡｉｐは、Ｍ個のシンボルからなるブロックに前記ＤＦＴを適用し前記ＩＤＦＴモジュールによって出力される結果と等しく、位置ｎｉｐ＋ｍＬにあるシンボル
【数１３】
2021525049.tif 000186
の値はそれぞれ
【数１４】
2021525049.tif 000187
であり、
【数１５】
2021525049.tif 000188
であるようになっていることと、
を含む、請求項１〜４のいずれか１項に記載の方法。
【請求項６】
ΣＱｐ≠Ｌ、∀ｎ≠ｎｉｐであり、
【数１６】
2021525049.tif 000189
である場合には、前記シンボルＸｎの値は、前記ＤＦＴを適用する前に０に設定される、請求項５に記載の方法。
【請求項７】
Ｋ’＜Ｋである、請求項５又は６に記載の方法。
【請求項８】
Ｋ’＝Ｋである、請求項５又は６に記載の方法。
【請求項９】
少なくとも１つのｐについて、Ｌ＝Ｑｐｃであり、ｃは正の整数であり、
【数１７】
2021525049.tif 000190
である、請求項５〜８のいずれか１項に記載の方法。
【請求項１０】
少なくとも１つのｐについて、
【数１８】
2021525049.tif 000191
である、請求項５〜８のいずれか１項に記載の方法。
【請求項１１】
コード命令を含むコンピュータプログラム製品であって、前記コード命令がプロセッサによって実行されると、請求項１〜１０のいずれか１項に記載の方法を実行する、コンピュータプログラム製品。
【請求項１２】
無線通信システム上で無線信号を用いて、少なくともＱ個のシンボル（Ａ０；．．．；ＡＱ−１）からなるグループを送信するデバイスであって、前記無線信号は、少なくともＭ個の異なる周波数上で送信を行うように構成された少なくとも１つの送信アンテナを備える放射器によって放射されるように意図され、ＭはＬ・Ｋに等しく、Ｌ及びＫは正の整数であり、ＱはＬよりも小さい正の整数であり、前記無線信号は、
ＭサイズのＤＦＴモジュールをシンボルブロックＸ＝（Ｘ０，．．．ＸＭ−１）に適用し、ｋ＝０〜Ｍ−１である各第ｋの周波数について、周波数領域における複素シンボルＳｋを取得することと、
送信アンテナに対応するＩＤＦＴモジュールの出力において、前記周波数領域において、ｋ＝０〜Ｍ−１である各第ｋの周波数の複素シンボルＳｋ又はＳｋの関数を表す信号を取得することと、
前記複素シンボルＳｋ又はＳｋの関数を表す信号に対応する前記無線信号を放射することと、
によって提供され、
前記デバイスは、
前記シンボルブロック内のＱ個の位置ｎｉを以下のように求めることと、
【数１９】
2021525049.tif 000192
前記Ｑ個のシンボルを前記無線信号によって送信することと、
を行うように構成され、
各ｉについて、前記無線信号内の前記シンボルのサンプルａｉは、Ｍ個のシンボルからなるブロックに前記ＤＦＴモジュールを適用し前記ＩＤＦＴモジュールによって出力される結果と等しく、位置ｎｉ＋ｍＬにあるシンボル
【数２０】
2021525049.tif 000193
の値はそれぞれ
【数２１】
2021525049.tif 000194
であり、ｋは０≦ｋ＜Ｋの整数であり、ｍは０≦ｍ＜Ｋの整数であり、ｊは虚数であるようになっている、デバイス。
【発明の詳細な説明】
【技術分野】
【０００１】
本発明は、包括的には、電気通信システムの領域に関し、より具体的には、ＯＦＤＭ伝送方式を用いた通信に関する参照信号のようなシンボルの組み込みに関する。
【背景技術】
【０００２】
シンボルが周波数領域において特定のコム（combs）を占有するように、シンボルを組み込むことが必要となる場合がある。例えば、標準規格では、周波数領域における特定のサブキャリア上に参照信号（復調参照信号−ＤＭＲＳ（demodulation reference signals）等）が設定されることを必要とする場合がある。
【０００３】
このために、それらのシンボル（例えば、ＤＭＲＳ）は、所望のコムの所望のサブキャリア上において周波数領域に直接組み込まれ、周波数領域における他のシンボルは、その場合、コムによって使用されてないサブキャリアを用いて処理される。その結果、周波数領域のコムを用いたシンボルは、他のシンボルから独立して組み込まれる。したがって、ＤＦＴｓＯＦＤＭ方式のような方式のシングルキャリア特性は維持されず、ピーク対平均電力比（ＰＡＰＲ：peak to average power ratio）が大きくなる。ＰＡＰＲが大きくなることを回避するために、新たな標準規格ＮＲ（new radio：新無線）では、ＤＭＲＳのみが組み込まれ、他のシンボルは０に設定されたままであるが、スペクトル効率の損失は大きくなる。
【０００４】
したがって、周波数領域におけるコムを占有するシンボルグループを他のシンボルと多重化することは、ＰＡＰＲが大きくなるとともに、干渉が大きくなるおそれがある。
【発明の概要】
【発明が解決しようとする課題】
【０００５】
本発明は、上記状況を改善することを目的とする。
【課題を解決するための手段】
【０００６】
そのために、本発明は、無線通信システム上で無線信号を用いて、少なくともＱ個のシンボル（Ａ０；．．．；ＡＱ−１）からなるグループを送信する方法に関し、この無線信号は、少なくともＭ個の異なる周波数上で送信を行うように構成された少なくとも１つの送信アンテナを備える放射器によって放射されるように意図され、ＭはＬ・Ｋに等しく、Ｌ及びＫは正の整数であり、ＱはＬよりも小さい正の整数であり、この無線信号は、
ＭサイズＤＦＴをシンボルブロックＸ＝（Ｘ０，．．．ＸＭ−１）に適用し、ｋ＝０〜Ｍ−１である各第ｋの周波数について、周波数領域における複素シンボルＳｋを取得することと、
送信アンテナに対応するＩＤＦＴモジュールの出力において、周波数領域において、ｋ＝０〜Ｍ−１である各第ｋの周波数の複素シンボルＳｋ又はＳｋの関数を表す信号を取得することと、
信号に対応する無線信号を放射することと、
によって提供され、
上記方法は、
シンボルブロック内のＱ個の位置ｎｉを以下のように求めることと、
【数１】
2021525049.tif 000003
Ｑ個のシンボルを無線信号によって送信することであって、各ｉについて、無線信号内のシンボルＡｉのサンプルは、Ｍ個のシンボルからなるブロックにＤＦＴを適用しＩＤＦＴモジュールによって出力される結果と等しく、位置ｎｉ＋ｍＬにあるシンボル
【数２】
2021525049.tif 000004
の値はそれぞれ
【数３】
2021525049.tif 000005
であり、ｋは０≦ｋ＜Ｋの整数であり、ｍは０≦ｍ＜Ｋの整数であり、ｊは虚数であるようになっていることと、
を含む。
【０００７】
Ｑ個のシンボルのそのような送信によって、ＤＦＴｓＯＦＤＭ方式のシングルキャリア特性を維持しながら、周波数領域におけるこれらのシンボルのサンプルがコム構造に配置されることが可能になる。その上、他のシンボル（
【数４】
2021525049.tif 000006
であるｎｉ＋ｍＬと異なる位置にある）が本発明に従って同じＤＦＴｓＯＦＤＭシンボルにおいて多重化される場合であっても、シングルキャリア特性は維持される。
【０００８】
ＤＦＴｓＯＦＤＭ方式のシングルキャリア特性は維持される。なぜならば、Ｑ個のシンボルのサンプルを送信する無線信号は、位置ｎｉ＋ｍＬにあるシンボル
【数５】
2021525049.tif 000007
の値がそれぞれ
【数６】
2021525049.tif 000008
であるＭ個のシンボルからなるブロックに対してＤＦＴ及びＩＤＦＴを適用することによって取得される無線信号と同じであるからである。ＩＤＦＴサイズは、一般にＤＦＴサイズよりも大きい。すなわち、本発明に従ってＱ個のシンボルを送信する無線信号は、本発明に従ってＭ個のシンボルからなるブロック内に配置されたシンボルをＤＦＴｓＯＦＤＭ方式によって処理することによって取得される無線信号と同じである。したがって、ＤＦＴｓＯＦＤＭ方式のシングルキャリア特性は維持される。
【０００９】
本発明によれば、周波数領域におけるＱ個のシンボルのサンプルは、コム構造に配置される。すなわち、Ｑ個のシンボルは、周波数領域における特定の周波数しか占有せず、これらの特定の周波数は、インデックスｋ、ｋ＋Ｋ、ｋ＋２Ｋ、．．．、ｋ＋（Ｌ−１）Ｋを有する周波数である。
【００１０】
加えて、シンボルグループの各シンボルＡｉの位相シフトを繰り返すことによって、これらのＱ個のシンボルの送信品質が高められる。実際、シンボルＡｉはＫ回繰り返され、各繰り返し間の位相シフトは
【数７】
2021525049.tif 000009
である。その結果、シンボルブロック内のＫ個のシンボルを用いて各シンボルＡｉを送信することによって、これらのシンボルの送信品質が高められる。したがって、Ｑ個のシンボルに関して発生する送信エラーは少なくなる。
【００１１】
このシンボルの位相シフトの繰り返しは、参照信号を送信するのに有利に用いることができる。実際、シンボルＡｉの値が受信機から知られており、受信機が位置及び適用された位相シフトを知っている場合には、受信機は、シンボルＡｉ及びその位相がシフトされたコピーを受信したときにカナル品質（canal quality）を推論する関連情報を有する。したがって、シンボルＡｉ及びその位相シフトされた全てのコピーは、参照信号として用いることができる。その結果、特に高速の位相シフトを追跡するとき、シンボルＡｉ及びその位相がシフトされた全てのコピーは、他のシンボルと多重化されているとともにＤＦＴｓＯＦＤＭシンボル内で時間的に分散しているので、参照信号として関係する。
【００１２】
その上、Ｋ及びＱを都合よく選ぶことによってＱ個のシンボルの送信の品質を制御することが可能である。実際、シンボルグループのサイズＱ及び位相シフトの繰り返し数Ｋは、そのグループのシンボルに必要とされる送信の品質に関して選ぶことができる。例えば、Ｋ及びＱは、Ｑ個のシンボルからなるグループによって表される情報ビットの効果的な符号化速度に直接関連しているので、Ｋ及びＱを都合よく選択することは、制御データを送信する場合に、送信品質を向上させるために用いることができる。制御データを送信するシンボルグループは、エラー発生の少ない送信を必要とする場合があるのに対して、ユーザデータを送信するシンボルグループからシンボルの送信に対して発生したエラーの影響は、通信にあまり重要でない場合がある。例えば、ＤＦＴｓＯＦＤＭシンボルごとの所与の固定送信電力について、Ｋ及びＱは、Ｑ個のシンボルからなるグループの電力と、残りのシンボルの電力との間の比に直接関連しているので、Ｋ及びＱを都合よく選択することは、例えば、チャネル推定品質に関する目標要件を満たすＱ個のシンボルからなるグループによって表される参照信号を送信する場合に用いることができる。例えば、Ｑ＝Ｍ／４及びＫ＝２を選ぶと、Ｑ個のシンボルからなるグループを搬送する送信電力の２分の１が用いられ、このシンボルグループは、周波数領域におけるサブキャリアの２分の１に存在する（周波数構造の２分の１を占有するコムを占有する：コム１／２周波数構造と呼ばれる）（１つおきのサブキャリアがＱ個のシンボルからなるグループに関する情報を含む）。したがって、Ｑ個のシンボルからなるグループは、例えば、５０％のオーバーヘッド及びコム１／２周波数構造を有するＤＭＲＳとして都合よく用いることができる。例えば、Ｑ＝Ｍ／８及びＫ＝２を選ぶと、Ｑ個のシンボルからなるグループを搬送する送信電力の４分の１が用いられ、このシンボルグループは、周波数領域におけるサブキャリアの２分の１に存在する（１つおきのサブキャリアがＱ個のシンボルからなるグループに関する情報を含む）。したがって、Ｑ個のシンボルからなるグループは、例えば、２５％のオーバーヘッド及びコム１／２周波数構造を有するＤＭＲＳとして都合よく用いることができる。例えば、Ｑ＝Ｍ／８及びＫ＝４を選ぶと、Ｑ個のシンボルからなるグループを搬送する送信電力の２分の１が用いられ、このシンボルグループは、周波数領域におけるサブキャリアの４分の１に存在する（４つごとのサブキャリアがＱ個のシンボルからなるグループに関する情報を含み、周波数構造の４分の１を占有するコムを占有する：コム１／４周波数構造と呼ばれる）。したがって、Ｑ個のシンボルからなるグループは、例えば、５０％のオーバーヘッド及びコム１／４周波数構造を有するＤＭＲＳとして都合よく用いることができる。更に別の例として、Ｑ及び場合によってＫは、目標実効符号化速度がＱ個のシンボルからなるグループの送信について達成されるように選ぶことができる：所与の数の情報ビットを搬送するために、Ｑを増加させることによって、より多くの冗長ビット数が可能になり、Ｋを増加させることによって、繰り返しの数が増加する。
【００１３】
所与のＭについて、Ｋを好都合に選ぶことは、Ｌを都合よく選ぶことと同等であることに留意されたい。なぜならば、ＫＬ＝Ｍであるからである。（Ｋ，Ｌ）を都合よく選択すると、Ｑ個のシンボルからなるグループによって表される系列によって用いられるコムの周波数構造が確定する。さらに、Ｑを都合よく選択すると、Ｑ個のシンボルからなるグループによって表される系列を搬送するのに利用される電力量が確定する（使用されるコム内のＬ個のサブキャリア上への電力ブーストレベル、又は系列のオーバーヘッド、又は系列によって用いられる実効符号化速度のインジケータのいずれかとして解釈することができる）。
【００１４】
ＤＦＴは、離散フーリエ変換を意味する。
【００１５】
ＩＤＦＴは、逆離散フーリエ変換を意味する。
【００１６】
周波数領域におけるシンボルＸｎのサンプル、及び、無線信号内のシンボルＸｎのサンプルは、それぞれ、ＤＦＴを適用した周波数領域における結果、及び、シンボルＸｎを除いてシンボルが０に設定されたシンボルブロック（そのようなシンボルブロックはＸ（ｎ）と呼ばれる）に対するＤＦＴｓＯＦＤＭ方式の処理のＩＤＦＴの出力における結果を意味する。類推すると、周波数領域におけるシンボルＡｉのサンプル、及び、無線信号内のシンボルＡｉのサンプルによって、それぞれ、ＤＦＴを適用した周波数領域における結果、及び、シンボルＡｉを含むシンボルを除いて、すなわち、
【数８】
2021525049.tif 000010
であるシンボル
【数９】
2021525049.tif 000011
を除いて、シンボルが０に設定されたシンボルブロックに対するＤＦＴｓＯＦＤＭ方式の処理のＩＤＦＴの出力における結果が理解される。
【００１７】
これらの定義は、ＤＦＴ及びＤＦＴｓＯＦＤＭ方式が線形方式であるので関係している。
【００１８】
その上、重なり合う場合がある各シンボルＸｎ（又はシンボルＡｉ）のサンプルは、ＤＦＴによって出力される無線信号及び／又は周波数領域信号に寄与する。ブロックシンボルＸ＝（Ｘ０，．．．，ＸＭ−１）に対して方式を適用することから得られる無線信号は、ｎが０〜Ｍ−１の整数であるシンボルＸｎのサンプルの和に等しい。ここで、異なるシンボルＸｎのサンプルは、数学的観点から、ＩＤＦＴのサイズＮ及び送信アンテナの個数を次元として有する多次元構造として見ることができる。
【００１９】
したがって、シンボルブロックのシンボルＸｎの無線信号内のサンプルによって、Ｘｎの値がρｎに設定されたブロックＸ（ｎ）にＤＦＴｓＯＦＤＭ方式を適用することによって無線信号内のサンプルを取得することができるような値ρｎが存在することが分かる。シンボルＡｉの無線信号内のサンプルは、位置ｎｉ＋ｍＬにあるシンボル
【数１０】
2021525049.tif 000012
に対して相対的に定義される。すなわち、シンボルＡｉのサンプルは、
【数１１】
2021525049.tif 000013
であるシンボル
【数１２】
2021525049.tif 000014
のサンプルの和である。値ρｎは、以下では、シンボルブロックのシンボルＸｎのサンプルの対応する値（又はシンボルＸｎの対応する値）と呼ばれる。
【００２０】
このことは、シンボルＸｎ又はシンボルＡｉの無線信号内のサンプルのみを定義しているが、そのようなサンプルを取得することができる方法を限定するものではない。実際、シンボルＸｎ又はシンボルＡｉの無線信号内のサンプルは、異なる方法でも取得することができる。
【００２１】
例えば、シンボルブロック内の位置ｎｉ＋ｍＬにあるシンボル
【数１３】
2021525049.tif 000015
は、それぞれ値
【数１４】
2021525049.tif 000016
に設定され、ＤＦＴｓＯＦＤＭ方式がこのシンボルブロックに適用される（ＤＦＴ前（pre-DFT）組み込みと呼ばれる）。
【００２２】
別の例では、シンボルブロック内の位置ｎｉ＋ｍＬにあるシンボル
【数１５】
2021525049.tif 000017
は、シンボルブロック内でそれぞれ０に設定され、シンボルＡｉの周波数領域におけるサンプルが、ＤＦＴの出力又はＩＤＦＴの入力において加えられる（ＤＦＴ後（post-DFT）組み込みと呼ばれる）。
【００２３】
更に別の例では、シンボルブロック内の位置ｎｉ＋ｍＬにあるシンボル
【数１６】
2021525049.tif 000018
は、シンボルブロック内でそれぞれ０に設定され、シンボルＡｉの無線信号におけるサンプルが、ＩＤＦＴの出力において加えられる（ＩＤＦＴ後（post-IDFT）組み込みと呼ばれる）。
【００２４】
一方、上述したように、これらの全ての場合において、無線信号内のサンプル及び無線信号そのものは、そのシンボルが特定の値に設定されたＭ個のシンボルからなるブロックに対するＤＦＴｓＯＦＤＭ方式の適用結果として完全に定義される。シンボルＸｎのサンプルの特定の値は、シンボルＸｎのサンプルの対応する値である。サンプルＡｉの特定の値は、０≦ｍ＜Ｋであるシンボル
【数１７】
2021525049.tif 000019
のサンプルの対応する値である。
【００２５】
これらの特定の値は、Ｑ個のシンボルが周波数領域において又はＩＤＦＴの出力において加えるときの理論値である。
【００２６】
本発明に従って定義されるＱ個のシンボル以外のＭ−Ｑ・Ｋ個のシンボルは、自由に用いることができる。すなわち、周波数領域におけるそれらのサンプルがコム構造に配置されるようにそれらのシンボルを実装して、又はそのように実装せずに用いることができ、これらのシンボルは、制御データ、参照信号又はユーザデータ等の任意のタイプのシンボルから得られる。
【００２７】
例えば、Ｑ個のシンボルＡｉは、参照信号（ＣＡＺＡＣ系列又は有利にはＺａｄｏｆｆ−Ｃｈｕ系列から得られる）とすることができ、Ｍ−Ｑ・Ｋ個の他のシンボルは、ユーザデータ及び／又は他の制御データ及び／又は他のタイプの参照信号を含むことができる。これとは逆に、Ｑ個のシンボルＡｉは、ユーザデータとすることができ、Ｍ−Ｑ・Ｋ個の他のシンボルは、参照信号を含むことができ、及び／又はユーザデータ及び／又は制御データ等も含むことができる。
【００２８】
シンボル
【数１８】
2021525049.tif 000020
の値
【数１９】
2021525049.tif 000021
は、
【数２０】
2021525049.tif 000022
である。したがって、
【数２１】
2021525049.tif 000023
は、シンボルＡｉを搬送するシンボルブロックのシンボルのうちの１つである。受信機側では、０≦ｍ＜Ｋであるシンボル
【数２２】
2021525049.tif 000024
のサンプルからシンボルＡｉを容易に取り出すことができる。シンボルＡｉは、例えば、ＱＰＳＫ変調シンボルのような変調シンボル、又は、ＣＡＺＡＣ系列等の所与の系列からのシンボル、若しくは、例えば、制御されたＰＡＰＲを有する既定の系列からのシンボルである。シンボル
【数２３】
2021525049.tif 000025
は、位相シフトを有するシンボルＡｉである。シンボル
【数２４】
2021525049.tif 000026
が設定される値は、例えば、デジタル変調方式の位相シフトされたシンボルとすることもできるし、ＣＡＺＡＣ系列又は制御されたＰＡＰＲを有する別の既定の系列から取り出された位相シフトされたシンボルとすることもできる。シンボルＡｉのサンプルは、０≦ｍ＜Ｋであるシンボル
【数２５】
2021525049.tif 000027
のサンプルと同じである。
【００２９】
インデックスｋ及び整数Ｋはコムを定義する。実際、（ｋ；Ｋ）によって定義されるコム（以下、コムｋという）は、周波数インデックスｋ、ｋ＋Ｋ、ｋ＋２Ｋ、．．．、ｋ＋（Ｌ−１）Ｋを有するサブキャリアを占有する。したがって、Ｑ個のシンボルＡｉは、コムｋに対応するサブキャリアのみを占有する。
【００３０】
送信アンテナはＭ個の周波数上で送信するように構成される。すなわち、送信アンテナによって放出される信号は、Ｍ個の割り当てられたサブキャリアごとに１つずつの、Ｍ個の複素シンボルにＮサイズＩＤＦＴを適用することによって与えられる。ＩＤＦＴに先行して、Ｍ個のサブキャリアは、サブキャリアマッピングモジュールによって、より多くの数のＮ個のサブキャリア上にマッピングすることができる。これらのサブキャリアのうちのＮ−Ｍ個は、０に設定されるので割り当てられないサブキャリアであり、Ｍ個の他のサブキャリアは、Ｍ個の複素シンボルがマッピングされるＭ個の割り当てられたサブキャリアである。この場合、ＩＤＦＴモジュールはサイズＮからなる。
【００３１】
無線信号は送信アンテナによって与えられる信号と理解されたい。
【００３２】
シンボルブロックに対して適用されるこの方式は、ＤＦＴｓＯＦＤＭ方式である。すなわち、ＤＦＴモジュール、サブキャリアマッピングモジュール及びＩＤＦＴモジュールが連続的に適用される。
【００３３】
すなわち、ＭサイズＤＦＴがシンボルブロックＸ＝（Ｘ０，．．．ＸＭ−１）に適用され、ｋ＝０〜Ｍ−１である各第ｋの周波数について、周波数領域における複素シンボルＳｋが取得される。送信アンテナに対応するＩＤＦＴモジュールの出力において、周波数領域において、ｋ＝０〜Ｍ−１である各第ｋの周波数の複素シンボルＳｋ又はＳｋの関数を表す信号が取得される。
【００３４】
したがって、Ｑ個のシンボルをＤＦＴ前方法又はＩＤＦＴ後方法で組み込むとき、この方式は、
−  ＭサイズＤＦＴをシンボルブロックＸ＝（Ｘ０，．．．ＸＭ−１）に適用し、ｋ＝０〜Ｍ−１である各第ｋの周波数について、周波数領域における複素シンボルＳｋを取得することと、
−  送信アンテナに対応するＩＤＦＴモジュールの出力において、周波数領域において、ｋ＝０〜Ｍ−１である各第ｋの周波数の複素シンボルＳｋを表す信号を取得することと、
として記述することができる。
【００３５】
加えて、Ｑ個のシンボルをＤＦＴ後方法で組み込むとき、この方式は、
−  ＭサイズＤＦＴをシンボルブロックＸ＝（Ｘ０，．．．ＸＭ−１）に適用し、ｋ＝０〜Ｍ−１である各第ｋの周波数について、周波数領域における複素シンボルＳｋを取得することと、
−  送信アンテナに対応するＩＤＦＴモジュールの出力において、周波数領域において、ｋ＝０〜Ｍ−１である各第ｋの周波数について、Ｑ個のシンボルの第ｋの周波数に対応する周波数領域におけるサンプルが加えられた複素シンボルＳｋを表す信号を取得することと、
として記述することができる。
【００３６】
本発明の一態様によれば、Ｑ個のシンボルを送信することは、各ｉ及び各ｍについて、シンボル
【数２６】
2021525049.tif 000028
を値
【数２７】
2021525049.tif 000029
に設定することによって行われる。
【００３７】
この実施の形態では、Ｑ個のシンボルは、ＤＦＴ前レベルにおいて、シンボルブロックに組み込まれる。そのような実施態様は、任意の標準的な放射器において容易に適合することができ、その結果、全ての送信機において実施することができる。その上、Ｑ個のシンボルのサンプルのＩＤＦＴ後処理又はメモリ記憶等の追加の操作は必要ない。
【００３８】
本発明の一態様によれば、方法は、ＤＦＴを適用する前に、
【数２８】
2021525049.tif 000030
であるシンボル
【数２９】
2021525049.tif 000031
の値を０に設定することと、ＩＤＦＴモジュールの出力において後続の信号を取得することとを更に含み、
各ｉ及び各ｍについて、Ｑ個のシンボルを送信することは、ＩＤＦＴモジュールの出力における上記後続の信号にサンプルを加えることによって行われる。
【００３９】
これによって、Ｑ個のシンボル以外のシンボルブロックのＭ−Ｑ・Ｋ個のシンボルのみをＤＦＴｓＯＦＤＭと同様の方式によって処理することが可能になる。したがって、Ｑ個のシンボルは、シンボルブロックの他のシンボルと異なる方法で処理することができる。これによって、例えば、Ｑ個のシンボルのサンプルを一度だけで処理することが可能になる。これによって、例えば、Ｑ個のシンボルのサンプル及び／又は他のシンボルのサンプルに対して適用される特定の処理によって、Ｑ個のシンボルのサンプルと他のシンボルのサンプルとの干渉を制御することが可能になる。
【００４０】
Ｑ個のシンボルのサンプルは、他のシンボルとは別個に計算され、Ｑ個のシンボルをサンプル
【数３０】
2021525049.tif 000032
の対応する値にＤＦＴ前に設定することによって、すなわち、
【数３１】
2021525049.tif 000033
であるシンボル
【数３２】
2021525049.tif 000034
の値を上記対応する値に設定することによって取得されたサンプルと同一又は少なくとも同等（すなわち、高電力サンプルの点で同一）のサンプルが取得される。これらのＱ個のシンボルのサンプルは、
【数３３】
2021525049.tif 000035
の対応する値（すなわち、
【数３４】
2021525049.tif 000036
）に設定された、
【数３５】
2021525049.tif 000037
であるシンボル
【数３６】
2021525049.tif 000038
の値を有するシンボルブロックに対して特定の方式を適用することによって計算されたサンプルとすることができ、シンボルブロックの他のシンボルの値は０に設定される。
【００４１】
後続の信号は、ＩＤＦＴの出力において、ＤＦＴｓＯＦＤＭと同様の方式によって提供される信号である。この信号は、この場合、シンボル
【数３７】
2021525049.tif 000039
の値が、
【数３８】
2021525049.tif 000040
の少なくとも幾つかの対について、有利には、全てについて０に設定されたシンボルブロックにこの方式を適用することによって取得される。
【００４２】
本発明の一態様によれば、方法は、ＤＦＴを適用する前に、
【数３９】
2021525049.tif 000041
であるシンボル
【数４０】
2021525049.tif 000042
の値を０に設定することと、ＤＦＴモジュールの出力において後続の信号を取得することとを更に含み、
各ｉ及び各ｍについて、Ｑ個のシンボルを送信することは、ＤＦＴモジュールの出力における上記後続の信号にサンプルを加えることによって行われる。
【００４３】
これによって、Ｑ個のシンボル以外のシンボルブロックのＭ−Ｑ・Ｋ個のシンボルのみをＤＦＴによって処理することが可能になる。したがって、Ｑ個のシンボルは、シンボルブロックの他のシンボルと異なる方法で処理することができる。これによって、例えば、Ｑ個のシンボルの周波数領域におけるサンプルを一度だけで処理することが可能になる。これによって、例えば、特定の処理（例えば、周波数領域におけるサンプルのフィルタリング）によって、Ｑ個のシンボルのサンプルと他のシンボルのサンプルとの干渉を制御することが可能になる。
【００４４】
Ｑ個のシンボルのサンプルは、ＤＦＴに関して他のシンボルとは別個に計算され、Ｑ個のシンボルをサンプル
【数４１】
2021525049.tif 000043
の対応する値にＤＦＴ前に設定することによって、すなわち、
【数４２】
2021525049.tif 000044
であるシンボル
【数４３】
2021525049.tif 000045
の値を上記対応する値に設定することによって取得されたサンプルと同一又は少なくとも同等（すなわち、高電力サンプルの点で同一）のサンプルが取得される。ＤＦＴモジュールの出力において加えられたＱ個のシンボルの周波数領域におけるサンプルは、
【数４４】
2021525049.tif 000046
の対応する値（すなわち、
【数４５】
2021525049.tif 000047
）に設定された、
【数４６】
2021525049.tif 000048
であるシンボル
【数４７】
2021525049.tif 000049
の値を有するシンボルブロックに対してＤＦＴを適用することによって計算されたサンプルとすることができ、シンボルブロックの他のシンボルの値は０に設定される。
【００４５】
後続の信号は、ＤＦＴの出力において、ＤＦＴｓＯＦＤＭと同様の方式によって提供される信号である。この信号は、この場合、シンボル
【数４８】
2021525049.tif 000050
の値が、
【数４９】
2021525049.tif 000051
の少なくとも幾つかの対について、有利には、全てについて０に設定されたシンボルブロックにＤＦＴを適用することによって取得される。
【００４６】
本発明の一態様によれば、Ｑｐ個のシンボル
【数５０】
2021525049.tif 000052
からなる少なくともＫ’個のグループが無線信号において送信され、Ｑｐは正の整数であり、ΣＱｐ≦Ｌであり、Ｋ’≦Ｋであり、
上記方法は、各ｐについて、
整数ｋｐと、シンボルブロック内のＱｐ個の位置ｎｉｐとを以下のように求めることと、
【数５１】
2021525049.tif 000053
及び
【数５２】
2021525049.tif 000054
Ｑｐ個のシンボルを無線信号によって送信することであって、各ｉについて、無線信号内のシンボルのサンプルＡｉｐは、Ｍ個のシンボルからなるブロックにＤＦＴを適用したもののＩＤＦＴモジュールによって出力される結果と等しく、位置ｎｉｐ＋ｍＬにあるシンボル
【数５３】
2021525049.tif 000055
の値はそれぞれ
【数５４】
2021525049.tif 000056
であり、
【数５５】
2021525049.tif 000057
であるようになっていることと、
を含む。
【００４７】
これによって、ＤＦＴｓＯＦＤＭ方式のシングルキャリア特性を維持するとともに、各グループのシンボルのサンプルが周波数領域におけるコム構造に配置されるように幾つかのシンボルグループを処理することが可能になる。各コムは、そのインデックスｋｐ及びＫによって定義される。実際、（ｋｐ；Ｋ）によって定義されるコム（以下、コムｋｐという）は、周波数インデックスｋｐ、ｋｐ＋Ｋ、ｋｐ＋２Ｋ、．．．、ｋｐ＋（Ｌ−１）Ｋを有するサブキャリアを占有する。したがって、各コムは、周波数領域における異なる周波数を占有し、他のコムと重なり合わない。したがって、Ｑｐ個のシンボルＡｉｐからなる各グループは、他のグループと周波数領域において直交するように処理され、これによって、受信機側において、Ｑｐ個のシンボルＡｉｐからなる各グループを無線信号から容易に取り出すことが可能になる。実際、周波数領域において直交することによって、受信機側においてＱｐ個のシンボルからなるグループを互いに分離することが可能になり、受信機における周波数領域処理が単純化される。
【００４８】
各シンボルグループは、特定のタイプのシンボル、例えば、参照信号若しくは他の制御データ又はユーザデータに用いることができる。したがって、各グループの全てのシンボルは、受信機側において異なるタイプのシンボルを容易に分離することを可能にする特定のタイプのシンボルとすることができ、これによって、異なるタイプのシンボルを互いに独立して処理することが可能になる。したがって、複数のタイプのシンボル、又は、より一般的には、受信機側において異なるタイプの処理を必要とするシンボルグループを１つのＤＦＴｓＯＦＤＭシンボル内に多重化することができる。
【００４９】
例えば、受信機におけるそのような処理によって、参照信号を抽出して、無線信号を変更したチャネル摂動（位相シフト、振幅等）を評価し、これらの摂動を補償するように復号化モジュールを適合させることが可能になり、これによって、無線信号の復号化の効率を高めることが可能になる。
【００５０】
各シンボルグループのサイズＱｐは、そのグループのシンボルに必要とされる送信の品質に関して選ぶことができる。例えば、制御データを送信するシンボルグループは、エラー発生の少ない送信を必要とする場合があるのに対して、データを送信するシンボルグループからシンボルの送信に対して発生したエラーの影響は、通信にあまり重要でない場合がある。
【００５１】
本発明の一態様によれば、ΣＱｐ≠Ｌ、∀ｎ≠ｎｉｐであり、
【数５６】
2021525049.tif 000058
である場合には、シンボルＸｎの値は、ＤＦＴを適用する前に０に設定される。
【００５２】
これによって、Ｑｐ個のシンボルからなるＫ’個のグループのシンボルの送信を強化することが可能になる。実際、Ｑｐ個のシンボルＡｉｐからなる各グループは、周波数領域において直交しており、シンボルブロックの他のシンボルは０に設定されているので、これらの他のシンボルからの干渉が発生する可能性はない。
【００５３】
本発明の一態様によれば、Ｋ’＜Ｋである。
【００５４】
これによって、コムを未使用のまま残すことが可能になる。実際、周波数領域において、サイズＬの最大Ｋ個のコムを使用することができ、Ｋ’＜Ｋに設定すると、Ｋ’個のコムのみが使用され、Ｋ−Ｋ’個のコムは未使用のまま残される。これらの未使用のコムは、他の使用されるコムと周波数領域において直交しており、別の放射器によって実施される送信において使用することができる。例えば、同じ基地局と通信する２つのモバイルデバイスは、異なるコムを使用してアップリンク送信を実施することができ、その結果、基地局では、周波数領域において各モバイルデバイスからのアップリンク信号を分離することが容易である。
【００５５】
本発明の一態様によれば、Ｋ’＝Ｋである。
【００５６】
これによって、送信において全てのコムを用いること、すなわち、送信において利用可能な全てのサブキャリアを用いることが可能になり、シンボルブロックのシンボル間の干渉が低減され、送信容量が高められる。
【００５７】
本発明の一態様によれば、少なくとも１つのｐについて、Ｌ＝Ｑｐｃであり、ｃは正の整数であり、
【数５７】
2021525049.tif 000059
である。
【００５８】
この場合には、Ｑｐ個のシンボルを搬送するシンボルブロック内のシンボルは、時間領域におけるコムに配置される。シンボルブロックに対してＤＦＴを適用するとき、周波数領域におけるＱｐ個のシンボルのサンプルはコムｋｐにある。その上、時間領域におけるコム構造に起因して、サブキャリアｋｐを占有するＱｐ個のシンボルの周波数領域におけるサンプルは、サブキャリアｋｐ＋ＫＱｐ、ｋｐ＋２ＫＱｐ、．．．、ｋｐ＋（ｃ−１）ＫＱｐを占有するサンプルと同一である。
【００５９】
サブキャリアｋｐ＋Ｋを占有するＱｐ個のシンボルの、シンボルの周波数領域におけるサンプルは、サブキャリアｋｐ＋Ｋ（Ｑｐ＋１）、ｋｐ＋Ｋ（２Ｑｐ＋１）、．．．、ｋｐ＋Ｋ（（ｃ−１）Ｑｐ＋１）を占有するサンプルと同一である。
【００６０】
周波数領域におけるＫＱｐのステップを有するこの繰り返しパターンは、ｋｐ＋２Ｋ、．．．、ｋｐ＋（Ｑｐ−１）Ｋを占有するＱｐ個のシンボルのサンプルとともに生じる。
【００６１】
その結果、周波数領域において、Ｑｐ個のシンボルのサンプルは繰り返し構造を有する。この繰り返し構造によって、シンボルを取り出す計算複雑度が低減される。実際、受信機は、同じ複素シンボルを異なるサブキャリアで数回受信する。これによって、これらの複素シンボルの無線チャネルを通じた送信中の劣化の影響、及び、干渉の影響が低減される。
【００６２】
加えて、この繰り返し構造によって、特にシンボルがＤＦＴ前方法で組み込まれていないときに、Ｑｐ個のシンボルを処理する計算複雑度が低減される。実際、その場合には、コムｋｐの最初のＱｐ個のサブキャリア上の周波数領域におけるサンプル、すなわち、ｋｐ、ｋｐ＋Ｋ、ｋｐ＋２Ｋ、．．．、ｋｐ＋（Ｑｐ−１）Ｋによってインデックスされるコムｋｐのサブキャリア上のサンプルのみを計算する必要がある。
【００６３】
上述したように、時間領域におけるシンボルの位相シフトの繰り返しは、参照信号を送信するのに有利に用いることができる。その上、高速の位相シフトを追跡するには、Ｑｐ個のシンボルを搬送するシンボルブロック内のシンボルが時間領域においてコムに配置されているときが有利である。なぜならば、その場合、ＤＦＴｓＯＦＤＭシンボルにおいて、シンボルＡｉ及びその位相シフトされた全てのコピーが時間的に分散しているだけでなく、全てのシンボルＡｉ及びそれらの位相シフトされたコピーも時間的に分散しているからである。すなわち、Ｑｐ個のシンボルを搬送するシンボルは、時間領域においてｃのステップを有するコムに配置される。その結果、この構造は、参照信号の組み込みに特に関係している。
【００６４】
本発明の一態様によれば、少なくとも１つのｐについて、、
【数５８】
2021525049.tif 000060
である。
【００６５】
この場合には、Ｑｐ個のシンボルを搬送するシンボルブロック内のシンボルは、時間領域において、局在化された方法で配置される。すなわち、０〜Ｋ−１の各ｍについて、シンボル
【数５９】
2021525049.tif 000061
は、シンボルブロック内で隣接したシンボルである。
【００６６】
したがって、受信機は、時間領域において、Ｑｐ個のシンボルを他のシンボルから分離することがより容易である。実際、シンボルブロック内の時間領域における隣接したシンボルは、ＤＦＴｓＯＦＤＭ方式が適用されると、無線信号内で隣接したサンプルを生成する。したがって、受信機は、無線信号内のこれらの隣接したサンプルを（例えば、時間窓を用いて）、それらのサンプルがＤＦＴｓＯＦＤＭシンボルにおいて分散している場合（Ｋ・Ｌ個の時間窓を必要とする場合がある）よりも複雑でない方法（必要とされる時間窓は多くともＫ個である）で抽出することができる。
【００６７】
加えて、Ｑｐ個のシンボルに対する、シンボルブロック内のＭ−Ｑｐ個の他のシンボルの時間領域における干渉はより小さい。実際、Ｑｐ個のシンボルは、時間的に隣接したシンボルの
【数６０】
2021525049.tif 000062
を搬送する最初のシンボルと、
【数６１】
2021525049.tif 000063
を搬送する最後のシンボルとによって他のシンボルからの干渉から保護される。
【００６８】
周波数領域におけるコム構造に起因して、Ｑｐ個のシンボルを含む無線信号の抽出されえた部分に対する干渉を周波数領域において削減することが更に可能である。
【００６９】
その上、時間領域における局在化された構造に起因して、周波数領域におけるＱｐ個のシンボルのサンプルは、Ｑｐ個のシンボル
【数６２】
2021525049.tif 000064
に対して適用されるＱｐサイズＤＦＴの結果をオーバーサンプリングしたものである。ＣＡＺＡＣ系列、より具体的にはＺａｄｏｆｆ−Ｃｈｕ系列に対して適用されるそのようなＱｐサイズＤＦＴの結果も、それぞれＣＡＺＡＣ系列、Ｚａｄｏｆｆ−Ｃｈｕ系列である。この結果をオーバーサンプリングしたものは、これらのＱ個のシンボルの周波数領域におけるサンプル（ＣＡＺＡＣ系列又はＺａｄｏｆｆ−Ｃｈｕ系列から生成される）である。このオーバーサンプリングしたものは、低い包絡線変動、すなわち、低いＰＡＰＲを有し、或る直交多重化容量を有する。加えて、そのようなオーバーサンプリングによって、Ｑｐ個のシンボルのサンプルを低い計算複雑度で周波数領域に直接加えることが可能になる。
【００７０】
本発明の第２の態様は、プロセッサによって実行されると上述した方法を実行するコード命令を含む、コンピュータプログラム製品に関する。
【００７１】
本発明の第３の態様は、少なくともＱ個のシンボル（Ａ０；．．．；ＡＱ−１）からなるグループを無線通信システム上で送信される無線信号において送信するデバイスに関し、この無線信号は、少なくともＭ個の異なる周波数上で送信を行うように構成された少なくとも１つの送信アンテナを備える放射器によって放射されるように意図され、ＭはＬ・Ｋに等しく、Ｌ及びＫは正の整数であり、ＱはＬよりも小さい正の整数であり、上記無線信号は、
ＭサイズＤＦＴモジュールをシンボルブロックＸ＝（Ｘ０，．．．ＸＭ−１）に適用し、ｋ＝０〜Ｍ−１である各第ｋの周波数について、周波数領域における複素シンボルＳｋを取得することと、
送信アンテナに対応するＩＤＦＴモジュールの出力において、周波数領域において、ｋ＝０〜Ｍ−１である各第ｋの周波数の複素シンボルＳｋを表す信号を取得することと、
信号に対応する無線信号を放射することと、
によって提供され、
上記デバイスは、
シンボルブロック内のＱ個の位置ｎｉを以下のように求めることと、
【数６３】
2021525049.tif 000065
Ｑ個のシンボルを無線信号によって送信することと、
を行うように構成され、
各ｉについて、無線信号内のシンボルのサンプルａｉは、Ｍ個のシンボルからなるブロックにＤＦＴを適用したもののＩＤＦＴモジュールによって出力される結果と等しく、位置ｎｉ＋ｍＬにあるシンボル
【数６４】
2021525049.tif 000066
の値はそれぞれ
【数６５】
2021525049.tif 000067
であり、ｋは０≦ｋ＜Ｋの整数であり、ｍは０≦ｍ＜Ｋの整数であり、ｊは虚数であるようになっている。
【００７２】
本発明は、添付図面の図に、限定としてではなく例として示される。添付図面において、同様の参照符号は同様の要素を参照する。
【図面の簡単な説明】
【００７３】
【図１】ＤＦＴｓＯＦＤＭタイプの送信機及び受信機を示す図である。
【図２】従来のＤＦＴｓＯＦＤＭ送信機を図式化したブロック図である。
【図３】本発明によるシンボルブロック内のＱ個のシンボルの局在化の一例を詳細に示す図である。
【図４】本発明によるＱ個のシンボルのＤＦＴ前組み込みを図式化したブロック図である。
【図５】本発明によるＱ個のシンボルのＤＦＴ後組み込みを図式化したブロック図である。
【図６】本発明によるＱ個のシンボルのＩＤＦＴ後組み込みを図式化したブロック図である。
【図７．１】本発明によるシンボルのＤＦＴ前組み込みのステップを表すフローチャートである。
【図７．２】本発明によるシンボルのＤＦＴ後組み込みのステップを表すフローチャートである。
【図７．３】本発明によるＩＤＦＴ後組み込みのステップを表すフローチャートである。
【発明を実施するための形態】
【００７４】
図１には、無線信号を受信機１．２に送信する送信機１．１が示されている。受信機１．２は送信機１．１のセル内に存在する。この送信は、ＯＦＤＭベースのシステムにおいてはＤＦＴｓＯＦＤＭベースの送信である。この例では、送信機１．１は固定局であり、受信機１．２はモバイル端末であり、ＬＴＥにおいては、それらは基地局及びユーザ機器と呼ばれる。送信機１．１はモバイル端末とすることもでき、受信機１．２は固定局とすることもできる。
【００７５】
送信機１．１は、１つの通信モジュール（ＣＯＭ＿ｔｒａｎｓ）１．３と、１つの処理モジュール（ＰＲＯＣ＿ｔｒａｎｓ）１．４と、メモリユニット（ＭＥＭＯ＿ｔｒａｎｓ）１．５とを備える。ＭＥＭＯ＿ｔｒａｎｓ１．５は、コンピュータプログラムを取り出す不揮発性ユニットと、シンボル組み込みパラメータを取り出す揮発性ユニットとを備える。ＰＲＯＣ＿ｔｒａｎｓ１．４は、本発明によるＱ個のシンボルを送信するように構成されている。ＣＯＭ＿ｔｒａｎｓ１．３は、受信機１．２に無線信号を送信するように構成されている。通信モジュール１．３、処理モジュール１．４及びメモリユニット１．５は、前述したように、Ｑ個のシンボルを送信するデバイスを構成することができる。
【００７６】
受信機１．２は、１つの通信モジュール（ＣＯＭ＿ｒｅｃｅｉ）１．６と、１つの処理モジュール（ＰＲＯＣ＿ｒｅｃｅｉ）１．７と、メモリユニット（ＭＥＭＯ＿ｒｅｃｅｉ）１．８とを備える。ＭＥＭＯ＿ｒｅｃｅｉ１．８は、コンピュータプログラムを取り出す不揮発性ユニットを備える。ＰＲＯＣ＿ｒｅｃｅｉ１．７は、無線信号からＱ個のシンボルを取り出すように構成されている。ＣＯＭ＿ｒｅｃｅｉ１．６は、送信機１．１から無線信号を受信するように構成されている。
【００７７】
図２には、従来のＤＦＴｓＯＦＤＭ送信機１．１のブロック図が示されている。このようなＤＦＴｓＯＦＤＭ送信機は、シンボルブロック（Ｘ０、．．．ＸＭ−１）に対してＤＦＴｓＯＦＤＭ方式を適用して無線信号を取得する。このようなＤＦＴｓＯＦＤＭ方式は、ＤＦＴの入力に存在するシンボルブロックのＰＡＰＲに応じて、小さいピーク対平均電力比（ＰＡＰＲ）を保証するシングルキャリア特性を有する。図２の例では、ＤＦＴｓＯＦＤＭ送信機は、１つの送信アンテナＴｘ２．０において放射することによって無線信号を放射する。これは、非限定的であり、ＤＦＴｓＯＦＤＭ送信機は、幾つかの送信アンテナを用いることによって送信することもできる。
【００７８】
無線信号を提供するために、ＭサイズＤＦＴ（離散フーリエ変換）モジュール２．１がシンボルブロックＸ＝（Ｘ０，．．．ＸＭ−１）に適用される。シンボルブロックのシンボルは、ＱＰＳＫデジタル変調方式又はＱＡＭのような他の任意のデジタル変調方式によって取得することもできるし、制御されたＰＡＰＲを有する系列（例えば、ＣＡＺＡＣ系列）のシンボルとすることもできる。
【００７９】
ＤＦＴモジュール２．１の出力において、Ｍ個の複素シンボルが周波数領域において取得される。これらのシンボルは、
【数６６】
2021525049.tif 000068
である。すなわち、Ｍ個の割り当てられたサブキャリアの中の第ｌのサブキャリアごとに１つの複素シンボルが取得される。これらの複素シンボルは、周波数領域において、サブキャリアマッピングモジュール２．２を用いて、ＮサイズＩＤＦＴモジュール２．３のＮ個の入力のうちのＭ個の入力にマッピングされる。このサブキャリアマッピングに関して、複素シンボルのベクトル
【数６７】
2021525049.tif 000069
が、サブキャリアマッピングモジュール２．２を介してＮ個の存在するサブキャリアのうちのＭ個の割り当てられたサブキャリアにマッピングされる。このサブキャリアマッピングは、例えば、局在化させることができる。すなわち、ベクトルＳのＭ個の要素は、Ｎ個の存在するサブキャリアの中のＭ個の連続したサブキャリアにマッピングされる。サブキャリアマッピングは、例えば、分散させることができる。すなわち、ベクトルＳのＭ個の要素は、帯域幅全体にわたって等距離にマッピングされ、０が未使用のサブキャリアを占有する。
【００８０】
次に、Ｎサイズ逆ＤＦＴモジュール２．３が、サブキャリアマッピングモジュール２．２の結果のベクトル
【数６８】
2021525049.tif 000070
に適用され、その結果、送信アンテナ２．０を介して送信されるＤＦＴｓＯＦＤＭシンボルが生成される。より正確には、ＩＤＦＴモジュール２．３の出力において、信号
【数６９】
2021525049.tif 000071
が取得される。この信号は、ＤＦＴｓＯＦＤＭシンボルに対応する時間間隔の間、Ｎ個の存在するサブキャリアのうちのＭ個の割り当てられたサブキャリアを占有する。この信号
【数７０】
2021525049.tif 000072
は、この時間間隔の間、その周波数領域表現が、ｌ＝０〜Ｍ−１を有する各第ｌの占有されたサブキャリアの複素シンボルＳｌである時間領域信号である。この時間領域信号
【数７１】
2021525049.tif 000073
は、ＤＦＴｓＯＦＤＭシンボルに対応する。したがって、信号
【数７２】
2021525049.tif 000074
内のサンプルは、ＤＦＴｓＯＦＤＭシンボル内のサンプルを指す。
【００８１】
ＩＤＦＴの後、任意選択でサイクリックプレフィックスを付加することができる。
【００８２】
図３には、本発明によるシンボルブロック内のＱ個のシンボルの局在化の一例が示されている。
【００８３】
Ｑ個のシンボルは、コム構造に配置されたこれらのＱ個から得られる周波数領域におけるサンプルを取得することを可能にするシンボルブロックＸ＝（Ｘ０，．．．ＸＭ−１）内の特定の位置に位置決めされる。
【００８４】
各シンボルＡｉについて、位相シフトを繰り返したものが、シンボルブロックのシンボル
【数７３】
2021525049.tif 000075
において操作される。すなわち、位置ｎｉ＋ｍＬにおけるシンボル
【数７４】
2021525049.tif 000076
は、ω＝ｅｊ２π／Ｍである
【数７５】
2021525049.tif 000077
にそれぞれ設定される。したがって、ｍが１〜Ｋ−１であるシンボル
【数７６】
2021525049.tif 000078
は、
【数７７】
2021525049.tif 000079
に設定された
【数７８】
2021525049.tif 000080
から位相シフトを繰り返したものである。したがって、シンボル
【数７９】
2021525049.tif 000081
は、シンボルＡｉのシフトを繰り返したものである。
【００８５】
そのようなシンボルブロックに対してＭサイズＤＦＴモジュール２．１を適用すると、Ｑ個のシンボル、すなわち、
【数８０】
2021525049.tif 000082
である
【数８１】
2021525049.tif 000083
から（少なくとも部分的に）得られる周波数領域における複素シンボルのみが、第ｋのコムを占有する複素シンボルとなる。これらの複素シンボルはＳｋ、Ｓｋ＋Ｋ、．．．、Ｓｋ＋（Ｌ−１）Ｋである。したがって、周波数領域におけるＱ個のシンボルのサンプルは、第ｋのコムのサブキャリアのみを占有する。第ｋのコム又はコムｋは、ｍが０〜Ｋ−１であるインデックスｋ＋ｍ・Ｋのサブキャリアから構成されるサブキャリアコムである。
【００８６】
簡略化するために、図３において、Ｓｋ＋ｑＫは、Ｑ個のシンボルのみから得られるものとみなされる。すなわち、Ｓｋ＋ｑＫ＝Ａ’（ｑ）であり、Ａ’（ｑ）は、
【数８２】
2021525049.tif 000084
であるＡｉによって定義される。一方、ｎｉ＋ｍ・Ｌと異なる位置にあるシンボルが非ゼロ値に設定される場合、これらのシンボルの周波数領域におけるサンプルは、第ｋのコムのサブキャリアを占有することができる。これらのサンプルは、Ｑ個のシンボルに関して干渉とみなされる。
【００８７】
図３の例では、ＤＦＴは、Ｑ個のシンボルが事前に組み込まれているシンボルブロックに対して適用される。そのような実施形態は、Ｑ個のシンボルのＤＦＴ前組み込みと呼ばれる。
【００８８】
図４は、本発明によるＱ個のシンボルの組み込みがＤＦＴ前組み込みであるＤＦＴｓＯＦＤＭ送信機のブロック図である。
【００８９】
適用されるＤＦＴｓＯＦＤＭ方式は、図２において説明したものと同一である。したがって、ＭサイズＤＦＴモジュール、サブキャリアマッピングモジュール及びＮサイズＩＤＦＴモジュールが、シンボルブロックＸ＝（Ｘ０，．．．ＸＭ−１）に連続的に適用され、Ｔｘによって放射される無線信号が取得される。Ｑ個のシンボルのＤＦＴ前組み込みにおいて前述したのと同様に、シンボル
【数８３】
2021525049.tif 000085
の値は、
【数８４】
2021525049.tif 000086
である
【数８５】
2021525049.tif 000087
に設定される。
【００９０】
変調器モジュール４．０は、シンボルブロック内の、
【数８６】
2021525049.tif 000088
である位置ｎｉ＋ｍＬと衝突しない位置に変調シンボルを挿入するように構成されている。加えて、組み込み器モジュール４．１は、
【数８７】
2021525049.tif 000089
に設定されたシンボル
【数８８】
2021525049.tif 000090
をシンボルブロックに加えるように構成されている。組み込み器モジュール４．１は、シンボルブロック内の、
【数８９】
2021525049.tif 000091
である位置ｎｉ＋ｍＬと衝突しない位置への変調シンボルの挿入を回避するように変調器モジュール４．０に通知するように構成することもできるし、変調器モジュール４．０をそのように構成するように構成することもできる。
【００９１】
したがって、Ｑ個のシンボルの組み込みに先行して、組み込み器モジュール４．１は、以下のようなシンボルブロック内のＱ個の位置ｎｉを求める。
【数９０】
2021525049.tif 000092
【００９２】
組み込み器モジュール４．１は、
【数９１】
2021525049.tif 000093
である位置ｎｉを事前に構成することによって静的な方法で構成することができる。幾つかの構成も事前にプログラミングすることができ、例えば、数Ｑごとに１つの構成又は数Ｑごとに限られた数の構成を事前にプログラミングすることができる。構成は、暗黙的な方法で（例えば、送信機によって知られている他のパラメータに基づいて）行うこともできるし、明示的な方法で（例えば、制御チャネルを介して基地局によって与えられる、例えば、命令に基づいて）行うこともできるし、それらの２つを組み合わせたもので行うこともできる。
【００９３】
図３に記載した事例では、Ｑ個のシンボルからなる１つのグループのみが本発明に従ってシンボルブロックに組み込まれる。しかしながら、各グループが異なるコムに関係していることを除いて、幾つかのシンボルグループを前述したのと同じ方法で組み込むことができる。
【００９４】
Ｑｐ個のシンボル
【数９２】
2021525049.tif 000094
からなるＫ’個のグループがシンボルブロックに組み込まれる場合には、組み込み器モジュール４．１は、１〜Ｋ’の各ｐについて、以下のように整数ｋｐ及びシンボルブロック内のＱｐ個の位置ｎｉｐを求める。
【数９３】
2021525049.tif 000095
及び
【数９４】
2021525049.tif 000096
【００９５】
組み込み器モジュール４．１は、次に、
【数９５】
2021525049.tif 000097
に設定されたシンボル
【数９６】
2021525049.tif 000098
をシンボルブロック内の位置ｎｉｐ＋ｍＬに加えるように構成されている。変調器モジュール４．０は、それに応じて構成される。グループのＱｐ個のシンボルのそれぞれは、その結果、１つのシンボルグループのみが本発明に従って組み込まれる場合と同じ方法で組み込まれる。
【００９６】
加えて、ＤＦＴが適用されたＱｐ個のシンボルからなる各グループから得られる複素シンボルは、異なるコムのサブキャリア上にある。したがって、Ｑｐ個のシンボルからなるグループの周波数領域におけるサンプルは第ｋｐのコム上にある一方、Ｑｐ個のシンボルからなるグループの周波数領域におけるサンプルは第ｋｐ’のコム上にある。このように、異なるグループのシンボルの周波数領域におけるサンプルは重畳せず、周波数領域において直交している。
【００９７】
各シンボルグループの周波数領域直交性のため、各グループからのシンボルは互いに干渉しない。
【００９８】
Ｑ個のシンボル（１つのシンボルグループのみが組み込まれている場合）又はＱｐ個のシンボルからなるＫ’個のグループのシンボルが、完全なシンボルブロックを占有しない場合、そのシンボルブロックの他のシンボルを０に設定することが有利である。前述したように、これによって、シンボルブロックの他のシンボルからの干渉が、組み込まれたシンボルに対して発生することが回避される。変調器モジュール４．０は、次に、シンボルが組み込み器モジュール４．１によって組み込まれていない位置におけるシンボルを０に設定するように構成されている。したがって、この場合には、変調器モジュール４．０の出力におけるシンボルブロックは０のみから構成される。
【００９９】
幾つかのシンボルグループが、周波数領域におけるＫ’個の異なるコムを用いて組み込まれている場合、コムの数Ｋ’は、Ｋよりも小さく設定することができる。すなわち、コムｋ１、．．．、ｋＫ’は、周波数領域における全てのサブキャリアを占有するとは限らず、少なくとも別のコムを形成するサブキャリアのグループは未使用のまま残される。したがって、送信機１．１のような幾つかの送信機が近くにあり、互いの信号に干渉を誘発する可能性があるとき、１つの送信機は、コムｋ１、．．．、ｋＫ’を用いて本発明に従ってシンボルを放射することができ、他の送信機は、異なるコム、すなわち、ｍが０〜Ｌ−１であり、ｋがｋ１、．．．、ｋＫ’と異なるインデックスｋ＋ｍＫを有するサブキャリアを含むコムを用いることができる。したがって、送信機によって放射される無線信号は、周波数領域において直交しており、したがって、それらの無線信号は互いに対する干渉を誘発せず、受信機では、周波数領域において分離するのが容易である。これは、送信機が基地局の同じセル内にいるモバイル端末であり、したがって、組み込みがアップリンク送信において実施されるときに特に関係している。これは、送信機が、例えば、都市部の状況において互いに接近した基地局であるときにも関係している。
【０１００】
送信機１．１が全てのサブキャリアを占有するとは限らないコムを用いる実施形態の代替形態として、送信機１．１は、全てのサブキャリアを用いる本発明に従ってシンボルのＫ’個のグループを組み込む。すなわち、Ｋ’＝Ｋである。したがって、サブキャリアのそれぞれは、１つのコムｋ１〜ｋＫ’に関係したインデックスを有する。これによって、本発明による送信に全てのコムを用いることが可能になる。すなわち、Ｑｐ個のシンボルからなるＫ’個のグループのシンボルを送信するために送信において利用可能な全てのサブキャリアを用いることが可能になる。したがって、最大サブキャリアが、Ｑｐ個のシンボルからなるＫ’個のグループのシンボルの送信には最大サブキャリアを用いることによって、干渉を低減することが可能になる。
【０１０１】
又は、他の実施形態と組み合わせて、Ｑｐ個のシンボルからなるグループからのシンボルは、シンボルブロック内のコム、すなわち、時間領域に配置することができる。すなわち、対
【数９７】
2021525049.tif 000099
ごとに、２つのシンボル
【数９８】
2021525049.tif 000100
及び
【数９９】
2021525049.tif 000101
（Ｑｐ個のシンボルからなるグループのシンボルを搬送する）が、シンボルブロック内のｃ−１個の位置から間隔を空けて配置される。すなわち、シンボルブロック内のＱｐ個の位置ｎｉｐは、以下のように求められる。
【数１００】
2021525049.tif 000102
ただし、Ｌ＝Ｑｐｃであり、ｃは正の整数である。したがって、組み込み器モジュール４．１は、これらの求められた位置に従ってシンボルブロック内の位置に、
【数１０１】
2021525049.tif 000103
に設定されたシンボル
【数１０２】
2021525049.tif 000104
を加えるように構成されている。
【０１０２】
前述したように、これは、サブキャリアｋｐを占有するＱｐ個のシンボルからなるグループのシンボルの周波数領域におけるサンプルが、サブキャリアｋｐ＋ＫＱｐ、ｋｐ＋２ＫＱｐ、．．．、ｋｐ＋（ｃ−１）ＫＱｐを占有するサンプルと同一であることが必要である。シンボルブロック内の他のシンボルが０であるか、又は、他のシンボルも周波数領域においてコムを占有するように配置されている場合、すなわち、他のシンボルからの干渉が発生しない場合には、複素シンボル
【数１０３】
2021525049.tif 000105
は同一である。
【０１０３】
サブキャリアｋｐ＋Ｋを占有するＱｐ個のシンボルからなるグループのシンボルの周波数領域におけるサンプルは、サブキャリアｋｐ＋Ｋ（Ｑｐ＋１）、ｋｐ＋Ｋ（２Ｑｐ＋１）、．．．、ｋｐ＋Ｋ（（ｃ−１）Ｑｐ＋１）を占有するサンプルと同一である。シンボルブロック内の他のシンボルが０であるか、又は、他のシンボルも周波数領域においてコムを占有するように配置されている場合、すなわち、他のシンボルからの干渉が発生しない場合には、複素シンボル
【数１０４】
2021525049.tif 000106
は同一である。
【０１０４】
ｋｐ＋２Ｋ、．．．、ｋｐ＋（Ｑｐ−１）Ｋを占有するサンプルも同じ方法で繰り返される。
【０１０５】
その結果、周波数領域において、Ｑｐ個のシンボルからなるグループのシンボルのサンプルは繰り返し構造を有する。この繰り返し構造によって、シンボルを取り出す計算複雑度が低減される。実際、受信機は、同じ複素シンボルを異なるサブキャリアで数回受信する。これによって、これらの複素シンボルの無線チャネルを通じた送信中の劣化の影響、及び、干渉の影響が低減される。
【０１０６】
又は、他の実施形態と組み合わせて、Ｑｐ個のシンボルからなるグループからのシンボルは、シンボルブロック（時間領域）内に隣接して配置することができる。すなわち、各対
【数１０５】
2021525049.tif 000107
について、２つのシンボル
【数１０６】
2021525049.tif 000108
及び
【数１０７】
2021525049.tif 000109
（Ｑｐ個のシンボルからなるグループのシンボルを搬送する）は、シンボルブロック内の隣接した位置にある。すなわち、
【数１０８】
2021525049.tif 000110
である。したがって、組み込み器モジュール４．１は、シンボルブロック内のこれらの求められた位置に従って、
【数１０９】
2021525049.tif 000111
に設定されたシンボル
【数１１０】
2021525049.tif 000112
を加えるように構成されている。
【０１０７】
Ｑ（又はＱｐ）個のシンボルは、制御データ、参照信号又はユーザデータ等の任意のシンボルタイプのシンボルとすることができる。Ｑ個のシンボルが参照信号シンボルであるとき、有利には、Ｑ個のシンボルをＣＡＺＡＣ系列として選ぶことができ、有利には、Ｑ個のシンボルをＺａｄｏｆｆ−Ｃｈｕ系列として選ぶことができる。
【０１０８】
図５には、本発明によるＱ個のシンボルのＤＦＴ後組み込みのブロック図が示されている。この実施形態は、以下で説明するように、Ｑｐ個のシンボルからなるＫ’個のグループのそれぞれに適用することができる。
【０１０９】
この実施形態では、シンボルブロックへのＱ個のシンボルの組み込みは行われない（すなわち、図４に示すように、シンボルブロックのシンボルの値を直接設定することによって行われない）。組み込みはＤＦＴ後に行われる。
【０１１０】
適用される方式は、図２に示すものと同一であり、したがって、異なるモジュールは、同じ参照符号を用いて参照される。
【０１１１】
変調器モジュール５．０は、ＤＦＴモジュール２．１を適用する前に、
【数１１１】
2021525049.tif 000113
であるシンボル
【数１１２】
2021525049.tif 000114
の値を０に設定するように構成されている。変調器モジュール５．０は、位置構成を送信することができる組み込み器モジュール５．１によって構成することができる。シンボルブロックの他のシンボルは、変調器モジュール５．０によって自由に設定することができる。
【０１１２】
この不完全なシンボルブロックＸＺｅｒｏに対してＤＦＴモジュール２．１が適用される。ＤＦＴモジュール２．１の出力において、Ｍ個の複素シンボルが周波数領域において取得される。これらの複素シンボルは、
【数１１３】
2021525049.tif 000115
である。これらのＭ個の複素シンボルは、ＤＦＴモジュール２．１の出力において後続の信号を形成する。
【０１１３】
組み込み器モジュール５．１は、ＤＦＴモジュール２．１の出力において、この後続の信号ＳＺｅｒｏに信号ＳＩｎｃｏｒを加える。信号ＳＩｎｃｏｒは、例えば、
【数１１４】
2021525049.tif 000116
であるシンボル
【数１１５】
2021525049.tif 000117
の事前に計算されたサンプルである。すなわち、シンボルブロック内の
【数１１６】
2021525049.tif 000118
であるシンボル
【数１１７】
2021525049.tif 000119
の値を設定するのではなく、例えば、これらのシンボルの値が前述したようにＤＦＴ前に（シンボルブロックに直接）設定された場合にＤＦＴの出力において取得されたサンプルと同一又は少なくとも同等のサンプルを取得するように、Ｑ個のシンボルのサンプルが計算される。例えば、ＳＩｎｃｏｒは、
【数１１８】
2021525049.tif 000120
であるシンボル
【数１１９】
2021525049.tif 000121
の値がそれぞれ値
【数１２０】
2021525049.tif 000122
に設定されるシンボルブロックにＤＦＴを適用することによって取得することができる。
【０１１４】
次に、ＳＩｎｃｏｒ及びＳＺｅｒｏの和から得られた複素シンボルが、図２において説明したように、サブキャリアマッピングモジュール２．２を用いて、周波数領域においてＮサイズＩＤＦＴモジュール２．３のＮ個の入力のうちのＭ個にマッピングされる。次に、Ｎサイズ逆ＤＦＴモジュール２．３が、サブキャリアマッピングモジュール２．２の結果のベクトル
【数１２１】
2021525049.tif 000123
に適用され、その結果、送信アンテナ２．０を介して送信されるＤＦＴｓＯＦＤＭシンボルが生成される。
【０１１５】
信号ＳＩｎｃｏｒ及びＳＺｅｒｏを加える前に、値が０に設定された
【数１２２】
2021525049.tif 000124
であるシンボル
【数１２３】
2021525049.tif 000125
の信号ＳＺｅｒｏ内のサンプルが周波数領域においても０に等しいことを確保するために、信号ＳＺｅｒｏをフィルタリングすることが有利である。したがって、これによって、信号ＳＩｎｃｏｒに対する信号ＳＺｅｒｏの干渉を削減することが可能になる。
【０１１６】
Ｑ個のシンボルがＤＦＴモジュール２．１の出力（ＤＦＴ後）において組み込まれる図５の実施形態では、加算器の出力において取得される信号Ｓは、Ｑ個のシンボルがＤＦＴ前に組み込まれたときのＤＦＴモジュール２．１の出力における信号と同一（又は少なくとも同等）である。加えて、加算器の出力において取得される信号Ｓは、組み込まれていないシンボルを除いて、値が０に設定されたシンボルブロック内のシンボルと、
【数１２４】
2021525049.tif 000126
であるシンボル
【数１２５】
2021525049.tif 000127
のサンプルの対応する値とによって完全に定義される。
【０１１７】
したがって、ＤＦＴ前組み込み（図４）について示した全ての特徴をＤＦＴ後組み込みに適用することができる。
【０１１８】
したがって、図５において説明したように、Ｑｐ個のシンボルからなる各グループの組み込みは、ＤＦＴ後に行うことができる。
【０１１９】
図４の実施形態と同様に、組み込み器モジュール５．１は、
【数１２６】
2021525049.tif 000128
である位置ｎｉを事前に構成することによって静的な方法で構成することができる。幾つかの構成も事前にプログラミングすることができ、例えば、数Ｑごとに１つの構成又は数Ｑごとに限られた数の構成を事前にプログラミングすることができる。構成は、暗黙的な方法で（例えば、送信機によって知られている他のパラメータに基づいて）行うこともできるし、明示的な方法で（例えば、制御チャネルを介して基地局によって与えられる、例えば、命令に基づいて）行うこともできるし、それらの２つを組み合わせたもので行うこともできる。
【０１２０】
図６には、本発明によるＱ個のシンボルのＩＤＦＴ後組み込みのブロック図が示されている。この実施形態は、以下で説明するように、Ｑｐ個のシンボルからなるＫ’個のグループのそれぞれに適用することができる。
【０１２１】
この実施形態では、シンボルブロックへのＱ個のシンボルの組み込みも行われない（すなわち、図４に示すように、シンボルブロックのシンボルの値を直接設定することによって行われない）し、周波数領域へのＱ個のシンボルの組み込み（図６に示すように）も行われない。組み込みはＩＤＦＴ後に行われる。
【０１２２】
適用される方式は、図２に示すものと同一であり、したがって、異なるモジュールは、同じ参照符号を用いて参照される。
【０１２３】
変調器モジュール６．０は、ＤＦＴモジュール２．１を適用する前に、
【数１２７】
2021525049.tif 000129
であるシンボル
【数１２８】
2021525049.tif 000130
の値を０に設定するように構成されている。変調器モジュール６．０は、位置構成を送信することができる組み込み器モジュール６．１によって構成することができる。シンボルブロックの他のシンボルは、変調器モジュール６．０によって自由に設定することができる。
【０１２４】
この不完全なシンボルブロックＸＺｅｒｏに対してＤＦＴモジュール２．１が適用される。ＤＦＴモジュール２．１の出力において、Ｍ個の複素シンボルが周波数領域において取得される。これらの複素シンボルは、
【数１２９】
2021525049.tif 000131
である。
【０１２５】
これらの複素シンボルは、図２において説明したように、周波数領域においてサブキャリアマッピングモジュール２．２を用いて、ＮサイズＩＤＦＴモジュール２．３のＮ個の入力のうちのＭ個にマッピングされる。
【０１２６】
次に、Ｎサイズ逆ＤＦＴモジュール２．３が、サブキャリアマッピングモジュール２．２の結果のベクトル
【数１３０】
2021525049.tif 000132
に適用される。ＩＤＦＴモジュール２．３の出力において、信号
【数１３１】
2021525049.tif 000133
が取得される。この信号
【数１３２】
2021525049.tif 000134
は、その周波数領域表現が、ｌ＝０〜Ｍ−１である各第ｌの占有されたサブキャリアの複素シンボルＳｌ，Ｚｅｒｏである時間領域信号である。
【０１２７】
これらのＭ個の複素シンボルは、ＩＤＦＴモジュール２．３の出力において後続の信号を形成する。
【０１２８】
組み込み器モジュール５．１は、ＩＤＦＴモジュール２．３の出力において、この後続の信号
【数１３３】
2021525049.tif 000135
に信号
【数１３４】
2021525049.tif 000136
を加える。信号
【数１３５】
2021525049.tif 000137
は、
【数１３６】
2021525049.tif 000138
であるシンボル
【数１３７】
2021525049.tif 000139
の事前に計算されたサンプルである。すなわち、シンボルブロック内の
【数１３８】
2021525049.tif 000140
であるシンボル
【数１３９】
2021525049.tif 000141
の値を設定するのではなく、これらのシンボルの値が前述したようにＤＦＴ前に（シンボルブロックに直接）設定された場合にＩＤＦＴモジュール２．３の出力において取得されたサンプルと同一又は少なくとも同等のサンプルを取得するように、Ｑ個のシンボルのサンプルが計算される。例えば、ＳＩｎｃｏｒは、
【数１４０】
2021525049.tif 000142
であるシンボル
【数１４１】
2021525049.tif 000143
の値がそれぞれ値
【数１４２】
2021525049.tif 000144
に設定され、他のシンボルの値が０に設定されるシンボルブロックにＤＦＴｓＯＦＤＭ方式（ＤＦＴモジュール２．１、サブキャリアマッピングモジュール２．２及びＩＤＦＴモジュール２．３）を適用することによって取得することができる。
【０１２９】
次に、図２において説明したように、
【数１４３】
2021525049.tif 000145
及び
【数１４４】
2021525049.tif 000146
の和から得られる時間領域信号
【数１４５】
2021525049.tif 000147
に対応するＤＦＴｓＯＦＤＭシンボルが、送信アンテナ２．０を介して送信される。
【０１３０】
ＩＤＦＴの後、任意選択でサイクリックプレフィックスを付加することができる。
【０１３１】
信号
【数１４６】
2021525049.tif 000148
及び
【数１４７】
2021525049.tif 000149
を加える前に、値が０に設定された
【数１４８】
2021525049.tif 000150
であるシンボル
【数１４９】
2021525049.tif 000151
の信号
【数１５０】
2021525049.tif 000152
内のサンプルも０に等しいことを確保するために、信号
【数１５１】
2021525049.tif 000153
をフィルタリングすることが有利である。したがって、これによって、信号
【数１５２】
2021525049.tif 000154
に対する信号
【数１５３】
2021525049.tif 000155
の干渉を削減することが可能になる。
【０１３２】
Ｑ個のシンボルがＩＤＦＴモジュール２．３の出力（ＩＤＦＴ後）において組み込まれる図６の実施形態では、加算器の出力において取得される信号
【数１５４】
2021525049.tif 000156
は、Ｑ個のシンボルがＤＦＴ前に組み込まれたときのＩＤＦＴモジュール２．３の出力における信号と同一（又は少なくとも同等）である。加えて、加算器の出力において取得される信号
【数１５５】
2021525049.tif 000157
は、組み込まれていないシンボルを除いて、値が０に設定されたシンボルブロック内のシンボルと、
【数１５６】
2021525049.tif 000158
であるシンボル
【数１５７】
2021525049.tif 000159
のサンプルの対応する値とによって完全に定義される。
【０１３３】
したがって、ＤＦＴ前組み込み（図４）について示した全ての特徴をＩＤＦＴ後組み込みに適用することができる。
【０１３４】
したがって、図６において説明したように、Ｑｐ個のシンボルからなる各グループの組み込みは、ＩＤＦＴ後に行うことができる。
【０１３５】
図４の実施形態と同様に、組み込み器モジュール６．１は、
【数１５８】
2021525049.tif 000160
である位置ｎｉを事前に構成することによって静的な方法で構成することができる。幾つかの構成も事前にプログラミングすることができ、例えば、数Ｑごとに１つの構成又は数Ｑごとに限られた数の構成を事前にプログラミングすることができる。構成は、暗黙的な方法で（例えば、送信機によって知られている他のパラメータに基づいて）行うこともできるし、明示的な方法で（例えば、制御チャネルを介して基地局によって与えられる、例えば、命令に基づいて）行うこともできるし、それらの２つを組み合わせたもので行うこともできる。
【０１３６】
図７．１を参照すると、本発明によるシンボルのＤＦＴ前組み込みのステップを表すフローチャートが示されている。
【０１３７】
ステップＳ１１において、組み込みモジュール４．１は、静的な方法で若しくは動的に（すなわち、組み込みモジュール４．１が、制御チャネルを通じて基地局によって与えられる、例えば、命令に従って再構成される）、又はこれらの２つのものの組み合わせによって構成される。動的な構成の場合、組み込みモジュール４．１は、ＭＥＭＯ＿ｔｒａｎｓ１．５に保存された命令に基づいて別の構成を選ぶことができる。実際、幾つかの構成は、組み込みモジュール４．１に事前にパラメータ化しておくことができ、それらの構成は、構成によって組み込まれるシンボルの数Ｑに従って順序付けることができる。構成は、Ｑ個のシンボルＡｉを搬送するシンボル
【数１５９】
2021525049.tif 000161
の、シンボルブロックＸ内の位置ｎｉによる数値Ｑ、Ｍ及び／又はＬによって定義することができる。
【０１３８】
組み込みモジュール４．１は、選ばれた構成を変調器モジュール４．０に通知することができ、変調器モジュール４．０が、シンボルブロック内の
【数１６０】
2021525049.tif 000162
である位置ｎｉ＋ｍＬと衝突しない位置に変調シンボルを挿入することを可能にする。
【０１３９】
ステップＳ１２において、組み込みモジュール４．１は、前述したように、
【数１６１】
2021525049.tif 000163
である位置ｎｉ＋ｍＬにあるシンボルＸｎの各値をそれぞれ値
【数１６２】
2021525049.tif 000164
に設定することによってＱ個のシンボルを組み込む。
【０１４０】
ステップＳ１３において、信号は、前述したように、ＤＦＴｓＯＦＤＭ方式をシンボルブロックに適用することによって処理される。
【０１４１】
ステップＳ１４において、信号はＴｘ２．０によって放射される。
【０１４２】
図７．２を参照すると、本発明によるシンボルのＤＦＴ後組み込みのステップを表すフローチャートが示されている。
【０１４３】
ステップＳ２１において、組み込みモジュール５．１は、静的な方法で若しくは動的に又はこれらの２つのものの組み合わせによって、図７．１のように構成される。
【０１４４】
組み込みモジュール５．１は、選ばれた構成を変調器モジュール５．０に通知することができる。
【０１４５】
ステップＳ２２において、組み込みモジュール５．１の構成に基づいて、変調器モジュール５．０は、図５において前述したように、
【数１６３】
2021525049.tif 000165
であり、
【数１６４】
2021525049.tif 000166
であるシンボル
【数１６５】
2021525049.tif 000167
の値を０に設定する。
【０１４６】
ステップＳ２３において、ＤＦＴモジュール２．１が、図５において前述したように、不完全なシンボルＸＺｅｒｏのブロックに対して適用される。
【０１４７】
ステップＳ２４において、組み込みモジュール５．１は、図５において説明したように、信号ＳＺｅｒｏに信号ＳＩｎｃｏｒを加える。
【０１４８】
ステップＳ２５において、残りのＤＦＴｓＯＦＤＭ方式（サブキャリアマッピングモジュール２．２、ＩＤＦＴモジュール２．３）が、ＳＺｅｒｏ及びＳＩｎｃｏｒの和から得られる信号Ｓに対して適用される。
【０１４９】
ステップＳ２６において、信号はＴｘ２．０によって放射される。
【０１５０】
図７．３を参照すると、本発明によるシンボルのＩＤＦＴ後組み込みのステップを表すフローチャートが示されている。
【０１５１】
ステップＳ３１において、組み込みモジュール６．１は、静的な方法で若しくは動的に又はこれらの２つのものの組み合わせによって、図７．１のように構成される。
【０１５２】
組み込みモジュール６．１は、選ばれた構成を変調器モジュール６．０に通知することができる。
【０１５３】
ステップＳ３２において、構成に基づいて、変調器モジュール６．０は、図６において前述したように、
【数１６６】
2021525049.tif 000168
であり、
【数１６７】
2021525049.tif 000169
であるシンボル
【数１６８】
2021525049.tif 000170
の値を０に設定する。
【０１５４】
ステップＳ３３において、信号は処理される。すなわち、シンボル（Ｘｎ）Ｚｅｒｏのブロックに対して、ＤＦＴｓＯＦＤＭ方式（ＤＦＴモジュール２．１、サブキャリアマッピングモジュール２．２、ＩＤＦＴモジュール２．３）が適用される。
【０１５５】
ステップＳ３４において、組み込みモジュール６．１は、ＩＤＦＴモジュール２．３の出力信号
【数１６９】
2021525049.tif 000171
に、信号
【数１７０】
2021525049.tif 000172
を加える。信号
【数１７１】
2021525049.tif 000173
は、図６において前述したように計算することができる。
【０１５６】
ステップＳ３５において、信号はＴｘ２．０によって放射される。
【図１】
2021525049.tif 000198
【図２】
2021525049.tif 000199
【図３】
2021525049.tif 000200
【図４】
2021525049.tif 000201
【図５】
2021525049.tif 000202
【図６】
2021525049.tif 000203
【図７．１】
2021525049.tif 000204
【図７．２】
2021525049.tif 000205
【図７．３】
2021525049.tif 000206
【国際調査報告】
2021525049.tif 000207
2021525049.tif 000208
2021525049.tif 000209